(57)【特許請求の範囲】
【請求項１】
携帯端末機と密着させた状態で光通信によりデータの送受信を行なう携帯端末用集配信装置に用いる、印刷上がりでピンホールを有するラベルであって、
前記光通信の光路に前記ピンホールが存在する部分を貼付する前記ラベル。
【請求項２】
携帯端末機と密着させた状態で光通信によりデータの送受信を行なう携帯端末用集配信装置あって、
前記光通信の光路に印刷上がりでピンホールを有するラベルの前記ピンホールが存在する部分を貼付したことを特徴とする携帯端末用集配信装置。
【発明の詳細な説明】
【０００１】
【発明の属する技術分野】
本発明は、機器のデータ送受信に光通信を用いる携帯端末用集配信装置に関し、特に端末間が離れた状態での通信が可能な光通信において光送受信を光干渉もなく行なえるようにしたものである。
【０００２】
【従来の技術】
端末間が離れた状態で通信を行なうにあたり従来から光通信が使用されている。しかし光通信を実行するために機器を密着させると、前記光が隣光と反射して干渉してしまうため、ある程度の距離を置かなくてはならない。
【０００３】
密着しても光通信を可能とする為には、隣光との反射を軽減するフィルタの透過率を下げる必要がある。従来そのためにフィルタ材料へ添加物を入れたり、厚みを厚くすることで実施していたが、特殊な材料となるため価格が高価となったり、厚くすることで小型化への対応が困難であった。
【０００４】
【発明が解決しようとする課題】
本発明は、密着した機器間での光送受信を光干渉もなく行なえるようにした携帯端末用集配信装置を提供することを目的とするものである。
【０００５】
【課題を解決するための手段】
上記問題を解決するために本願の請求項１記載の発明は、携帯端末機と密着させた状態で光通信によりデータの送受信を行なう携帯端末用集配信装置に用いる、印刷上がりでピンホールを有するラベルであって、前記光通信の光路に前記ピンホールが存在する部分を貼付する前記ラベルである。
ラベルを貼付することにより、透過率を減少させ送受信の信号の光干渉を無くすようにした携帯端末用集配信装置としたものであり、携帯端末機を携帯端末用集配信装置に密着させて光通信によるデータ通信を行なうことが可能となる。
【０００６】
また、請求項２記載の発明は、携帯端末機と密着させた状態で光通信によりデータの送受信を行なう携帯端末用集配信装置あって、前記光通信の光路に印刷上がりでピンホールを有するラベルの前記ピンホールが存在する部分を貼付したことを特徴とする携帯端末用集配信装置である。これにより、携帯端末機を携帯端末用集配信装置に密着させて光通信によるデータ通信を行なうことが可能となる。
【００１５】
【発明の実施の形態】
以下、本発明の実施の形態について、図１から図９を用いて説明する。
【００１６】
図１は本発明の携帯端末用集配信装置の構成を示す斜視図であり、図２は図１の矢印Ａ方向からみた携帯端末用集配信装置の構成を示す正面図、図３は携帯端末機の構成を示す斜視図、図４は本発明の携帯端末用集配信装置に携帯端末機を装着したときの様子を示す斜視図である。
【００１７】
図１及び図２において、本発明の携帯端末用集配信装置は、携帯端末機が装着されたことを検出する装着検出スイッチ11、携帯端末機が装着されている時に携帯端末機に非接触で給電する非接触給電部12、装置の動作状態を示す各種表示ランプ、すなわち装着ランプ13、通信ランプ14及び電源ランプ15を備えている。
【００１８】
また、本発明の携帯端末用集配信装置は、携帯端末機が装着されたときに光信号により携帯端末機とデータ通信を行なう光コネクタ21、携帯端末機に電源を供給する供給端子22、通信ケーブルを接続し、モデム（図示せず）と接続するシリアルコネクタ24、付属のＡＣアダプタ（図示せず）を接続する電源ジャック25、運用時は使用せずに保守時に使用する保守スイッチ26および本機をリセットするためのリセットスイッチ27を備えている。
【００１９】
また、図３に示されるように携帯端末機は、各種伝票や帳票に貼付されているバーコードを読み取る機能を有し、その読み取り作業中をランプで確認する読み取り確認ランプ31、読み取り作業等を音で確認するためのブザー口32、操作キーから打ち込んだ必要なデータを表示する表示部33、各種動作モードを設定するためのトリガスイッチ34、携帯所持するためのハンドストラップ35および上記した携帯端末用集配信装置に装着して光信号により携帯端末機とデータ通信を行なう光通信Ｉ／Ｆコネクタ36を備えている。
【００２０】
次に携帯端末機の使用方法について簡単に説明する。携帯端末機を所持して各種データを収集した後に、図４に示すように携帯端末機を本発明の携帯端末用集配信装置に装着する。装着検出スイッチ11によりこの装着を検出し、その後に携帯端末機に蓄積してある業務データを光通信Ｉ／Ｆコネクタ36を介して携帯端末用集配信装置の光コネクタ21に送信する。この業務データはシリアルコネクタ24を介してモデム(図示せず)、ホストコンピュータ（図示せず）に転送される。また装着しているときに携帯端末用集配信装置の非接触給電部12から携帯端末機に非接触で電力を供給する。
【００２１】
（第１の実施の形態）
図５は本発明の第１の実施形態の構成を示す一部拡大した断面図である。図５において光通信、例えばIrDA（Infrared Data Association）規格の赤外線通信を行なう能力が与えられている携帯端末機を携帯端末用集配信装置に密着配置する。
【００２２】
本発明の第１の実施形態では、携帯端末機を携帯端末用集配信装置に装着するだけで、携帯端末機と携帯端末用集配信装置の密着配置が行なわれると共に携帯端末用集配信装置と携帯端末機とは光通信の位置合わせも完成する。
【００２３】
通常、IrDA規格に準拠する携帯端末機を携帯端末用集配信装置に密着させると、光強度の関係から本来の光が隣光と反射して干渉してしまう。そこで、本発明の第１の実施形態では、図６に示すように印刷上がりでピンホールを有するラベル51を、光を透過するフィルタ52の表側に貼付する。
【００２４】
このようにすると、光の透過率が減少して光の強度が落ち、それに伴い隣光との干渉は起きなくなり、IrDA規格に準拠する携帯端末機を携帯端末用集配信装置に密着させて使用することができる。
【００２５】
したがって、本発明の第１の実施形態によれば、フィルタ材料へ添加物を入れたり、フィルタの厚みを厚くするというような特殊材料を使用せずに、ピンホールを有するラベルを上記フィルタの表側に貼付することにより、IrDA規格に準拠した携帯端末機を携帯端末用集配信装置に密着させてデータ通信を行なうことが可能となる。
【００２６】
（第２の実施の形態）
図７は本発明の第２の実施形態の構成を示す一部拡大した断面図である。図７において光通信、例えばIrDA規格の光通信を行なう能力が与えられている携帯端末機を携帯端末用集配信装置に密着配置する。
【００２７】
本発明の第２の実施形態では、携帯端末機を携帯端末用集配信装置に装着するだけで、携帯端末機と携帯端末用集配信装置の密着配置が行なわれると共に携帯端末用集配信装置と携帯端末機とは光通信の位置合わせも完成する。
【００２８】
通常、IrDA規格に準拠する携帯端末機を携帯端末用集配信装置に密着させると、光強度の関係から本来の光が隣光と反射して干渉してしまう。そこで、本発明の第２の実施形態では、図６に示すように印刷上がりでピンホールを有するラベル71を、光を透過するフィルタ72の裏側に貼付する。
【００２９】
このようにすると、光の透過率が減少して光の強度が落ち、それに伴い隣光との干渉は起きなくなり、IrDA規格に準拠する携帯端末機を携帯端末用集配信装置に密着させて使用することができる。
【００３０】
したがって、本発明の第２の実施形態によれば、フィルタ材料へ添加物を入れたり、フィルタの厚みを厚くするというような特殊材料を使用せずに、ピンホールを有するラベルを上記フィルタの裏側に貼付することにより、IrDA規格に準拠した携帯端末機を携帯端末用集配信装置に密着させてデータ通信を行なうことが可能となる。またラベルが貼ってあることが表面から確認できないためラベルの端面や若干の貼りずれも分からないため見栄えの良い携帯端末用集配信装置の提供が可能となる。
【００３１】
（第３の実施の形態）
図８は本発明の第３の実施形態の構成を示す一部拡大した断面図である。図８において光通信、例えばIrDA規格の光通信を行なう能力が与えられている携帯端末機を携帯端末用集配信装置に密着配置する。
【００３２】
本発明の第３の実施形態では、携帯端末機を携帯端末用集配信装置に装着するだけで、携帯端末機と携帯端末用集配信装置の密着配置が行なわれると共に携帯端末用集配信装置と携帯端末機とは光通信の位置合わせも完成する。
【００３３】
通常、IrDA規格に準拠する携帯端末機を携帯端末用集配信装置に密着させると、光強度の関係から本来の光が隣光と反射して干渉してしまう。そこで、本発明の第３の実施形態では、図６に示すように印刷上がりでピンホールを有するラベル81を、光を透過するフィルタ82の表側に貼付する。またそのラベル81には、ピンホールを有する部分以外のその他の部分に、機器の機能や注意書き等の必要な事項を印刷しておくようにする。
【００３４】
このようにすると、光の透過率が減少して光の強度が落ち、それに伴い隣光との干渉は起きなくなり、IrDA規格に準拠する携帯端末機を携帯端末用集配信装置に密着させて使用することができる。
【００３５】
したがって、本発明の第３の実施形態によれば、フィルタ材料へ添加物を入れたり、フィルタの厚みを厚くするというような特殊材料を使用せずに、ピンホールを有するラベルを上記フィルタの表側に貼付することにより、IrDA規格に準拠した携帯端末機を携帯端末用集配信装置に密着させてデータ通信を行なうことが可能となる。またラベルの光通信部以外に他の印刷を施すことにより、機器の機能や注意書き等に要していたラベルを不要とすることができ、トータルのラベル枚数の削減または機器筐体への表示印刷、彫刻等が削減され携帯端末用集配信装置に要したコストを低減することが可能となる。
【００３６】
（第４の実施の形態）
図９は本発明の第４の実施形態に係るラベルの構成を示す平面図であり、その一部が拡大した表示されている。図９におけるラベルが図６に示されるラベルと異なる点は、印刷上がりでピンホールを有するラベルを利用するではなく、メッシュ印刷をすることで光の透過率を定量的にコントロールできるラベルを利用している点である。こうすることで、ラベルの出来上がりのバラツキがなくなり、品質が安定した透過率を下げるためのラベルを使って携帯端末用集配信装置を提供することが可能となる。
【００３７】
つまりメッシュにおける目の細かさをメッシュ印刷により任意にコントロールすることができるので、光の透過率を定量的にコントロールし、IrDA規格の光通信の能力を最大限生かした携帯端末用集配信装置を提供することが可能となる。
【００３８】
このようなメッシュ印刷が施されたラベルを、上記した第１乃至第３の実施形態に示したラベルの貼付方法を採ることにより、上記した第１乃至第３の実施形態と同様、第４の実施形態の携帯端末用集配信装置を構成することができる。
【００３９】
さらに上記の実施の形態においては専らラベルを貼付する例について説明してきたが、このラベルを光透過部分に直接印刷するように構成しても良い。
【００４０】
【発明の効果】
以上述べたように本発明は、携帯端末機と密着させた状態で光通信の位置合わせを行ない、光通信、例えばIrDA規格に準拠した赤外線によるデータの送受信が可能な携帯端末用集配信装置であって、前記IrDA規格に準拠した赤外線通信を可能とするために光を透過させるフィルタと、印刷上がりでピンホールを有するラベルとを備え、前記ラベルを前記光を透過させる前記フィルタに貼付することにより、透過率を減少させ送受信の信号の光干渉を無くすようにした携帯端末用集配信装置としたものであり、IrDA規格に準拠した携帯端末機を携帯端末用集配信装置に密着させてデータ通信を行なうことが可能となる。
【００４１】
また、本発明は、携帯端末機と密着させた状態で光通信の位置合わせを行ない、光通信、例えばIrDA規格に準拠した赤外線によるデータの送受信が可能な携帯端末用集配信装置であって、前記IrDA規格に準拠した赤外線通信を可能とするために光を透過させるフィルタと、メッシュ印刷をすることで光の透過率を定量的にコントロールできるラベルとを備え、前記ラベルを前記光を透過させる前記フィルタの貼付することにより、透過率を減少させ送受信の信号の光干渉を無くすようにした携帯端末用集配信装置としたものであり、ラベルの出来上がりのバラツキがなくなり、品質が安定した透過率を下げるためのラベルを使って携帯端末用集配信装置を提供することが可能となる。
【００４２】
また、本発明は、携帯端末機と密着させた状態で光通信の位置合わせを行ない、光通信、例えばIrDA規格に準拠した赤外線によるデータの送受信が可能な携帯端末用集配信装置であって、前記IrDA規格に準拠した赤外線通信を可能とするために光を透過させるフィルタを備え、前記光を透過させる前記フィルタに印刷上がりでピンホールを有するラベルを直接印刷することにより、透過率を減少させ送受信の信号の光干渉を無くすようにした携帯端末用集配信装置としたものであり、IrDA規格に準拠した携帯端末機を携帯端末用集配信装置に密着させてデータ通信を行なうことが可能となる。
【００４３】
また、本発明は、携帯端末機と密着させた状態で光通信の位置合わせを行ない、光通信、例えばIrDA規格に準拠した赤外線によるデータの送受信が可能な携帯端末用集配信装置であって、前記IrDA規格に準拠した赤外線通信を可能とするために光を透過させるフィルタを備え、前記光を透過させる前記フィルタにメッシュ印刷をすることで光の透過率を定量的にコントロールできるラベルを直接印刷することにより、透過率を減少させ送受信の信号の光干渉を無くすようにした携帯端末用集配信装置としたものであり、IrDA規格に準拠した携帯端末機を携帯端末用集配信装置に密着させてデータ通信を行なうことが可能となる。
【図面の簡単な説明】
【図１】本発明の携帯端末用集配信装置の構成を示す斜視図、
【図２】図１の矢印Ａ方向からみた携帯端末用集配信装置の構成を示す正面図、
【図３】携帯端末機の構成を示す斜視図、
【図４】本発明の携帯端末用集配信装置に携帯端末機を装着したときの様子を示す斜視図、
【図５】本発明の第１の実施形態の構成を示す一部拡大した断面図、
【図６】印刷上がりでピンホールを有するラベルの構成を示す図、
【図７】本発明の第２の実施形態の構成を示す一部拡大した断面図、
【図８】本発明の第３の実施形態の構成を示す一部拡大した断面図、
【図９】本発明の第４の実施形態に係るラベルの構成を示す平面図である。
【符号の説明】
11  装着検出スイッチ
12  非接触給電部
13  装着ランプ
14  通信ランプ
15  電源ランプ
21  光コネクタ
22  給電端子
24  シリアルコネクタ
25  電源ジャック
26  保守用スイッチ
27  リセットスイッチ
31  読み取り確認ランプ
32  ブザー口
33  表示部
34  トリガスイッチ
35  ハンドストラップ
36  光通信Ｉ／Ｆコネクタ
51、71、81  ラベル
52、72、82  フィルタ
【図１】
0004575534.tif 000002
【図２】
0004575534.tif 000003
【図３】
0004575534.tif 000004
【図４】
0004575534.tif 000005
【図５】
0004575534.tif 000006
【図６】
0004575534.tif 000007
【図７】
0004575534.tif 000008
【図８】
0004575534.tif 000009
【図９】
0004575534.tif 000010